【手続補正書】
【提出日】平成20年8月27日(2008.8.27)
【手続補正１】
【補正対象書類名】明細書
【補正対象項目名】発明の名称
【補正方法】変更
【補正の内容】
【発明の名称】動画像処理装置およびその制御方法
【手続補正２】
【補正対象書類名】明細書
【補正対象項目名】特許請求の範囲
【補正方法】変更
【補正の内容】
【特許請求の範囲】
【請求項１】  カメラによって撮影された複数のシーンの動画像データを処理する動画像処理装置であって、
前記動画像データに関するカメラ操作情報を取得する取得手段と、
前記複数のシーン中の所望のシーンを指定すると共に前記指定された複数のシーンを再生する順番を指定する指定手段と、
前記カメラ操作情報に関するルールと、前記指定手段により指定された複数のシーンのうち続けて再生される２つのシーンの前記カメラ操作情報とを照合し、前記２つのシーンのカメラ操作情報が前記ルールに反する場合に警告を出力する制御手段と
を備えたことを特徴とする動画像処理装置。
【請求項２】  前記カメラ操作情報は、前記動画像データの撮影時における前記カメラの動きおよび動作状態のうちの少なくとも一方を示す情報であることを特徴とする請求項１に記載の動画像処理装置。
【請求項３】  前記制御手段は、前記２つのシーンのうち先に再生されるシーンの終了部分のカメラ操作情報と後に再生されるシーンの開始部分のカメラ操作情報との組み合わせを前記ルールと照合することを特徴とする請求項１または２に記載の動画像処理装置。
【請求項４】  前記制御手段は、前記指定手段が１つのシーンを指定すると、前記指定された１つのシーンとその１つ前に再生されるシーンのカメラ操作情報を前記ルールと照合することを特徴とする請求項１〜３のいずれかに記載の動画像処理装置。
【請求項５】  記録媒体から前記動画像データを読み出す読出手段をさらに備え、
前記指定手段は、前記記録媒体に記録された複数のシーンの動画像データ中の所望のシーンを指定することを特徴とする請求項１〜４のいずれかに記載の動画像処理装置。
【請求項６】  前記取得手段は、前記動画像データと前記カメラ操作情報とが記録された記録媒体から前記カメラ操作情報を読み出すことにより前記カメラ操作情報を取得することを特徴とする請求項１〜４のいずれかに記載の動画像処理装置。
【請求項７】  前記取得手段は、前記動画像データを画像処理することにより前記カメラ操作情報を取得することを特徴とする請求項１〜５のいずれかに記載の動画像処理装置。
【請求項８】  カメラによって撮影された複数のシーンの動画像データを処理する動画像処理装置を制御する制御方法であって、
前記動画像データに関するカメラ操作情報を取得する取得工程と、
前記カメラ操作情報に関するルールと、前記複数のシーン中の所望のシーンを指定すると共に前記指定された複数のシーンを再生する順番を指定する指定手段により指定された複数のシーンのうち続けて再生される２つのシーンの前記カメラ操作情報とを照合し、前記２つのシーンのカメラ操作情報が前記ルールに反する場合に警告を出力する制御工程と
を備えたことを特徴とする制御方法。
【手続補正３】
【補正対象書類名】明細書
【補正対象項目名】０００１
【補正方法】変更
【補正の内容】
【０００１】
【発明の属する技術分野】
本発明は、動画像を編集する動画像処理装置およびその制御方法に関する。
【手続補正４】
【補正対象書類名】明細書
【補正対象項目名】０００４
【補正方法】変更
【補正の内容】
【０００４】
本発明は、上記問題に鑑みてなされたものであり、特にアマチュアのユーザであっても、容易に高度な編集結果を得られるような動画像の編集を可能とし、その編集の過程において、専門的な知識を意識させることなく、自由な作業を行うことが可能な動画像処理装置およびその制御方法を提供することを目的としている。
【手続補正５】
【補正対象書類名】明細書
【補正対象項目名】０００５
【補正方法】変更
【補正の内容】
【０００５】
【課題を解決するための手段】
上記目的を達成するため、請求項１に記載の動画像処理装置は、カメラによって撮影された複数のシーンの動画像データを処理する動画像処理装置であって、前記動画像データに関するカメラ操作情報を取得する取得手段と、前記複数のシーン中の所望のシーンを指定すると共に前記指定された複数のシーンを再生する順番を指定する指定手段と、前記カメラ操作情報に関するルールと、前記指定手段により指定された複数のシーンのうち続けて再生される２つのシーンの前記カメラ操作情報とを照合し、前記２つのシーンのカメラ操作情報が前記ルールに反する場合に警告を出力する制御手段とを備えたことを特徴とする。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】削除
【補正の内容】
【手続補正２５】
【補正対象書類名】明細書
【補正対象項目名】００２５
【補正方法】削除
【補正の内容】
【手続補正２６】
【補正対象書類名】明細書
【補正対象項目名】００２６
【補正方法】削除
【補正の内容】
【手続補正２７】
【補正対象書類名】明細書
【補正対象項目名】００２７
【補正方法】削除
【補正の内容】
【手続補正２８】
【補正対象書類名】明細書
【補正対象項目名】００２８
【補正方法】変更
【補正の内容】
【００２８】
上記目的を達成するため、請求項８に記載の制御方法は、カメラによって撮影された複数のシーンの動画像データを処理する動画像処理装置を制御する制御方法であって、前記動画像データに関するカメラ操作情報を取得する取得工程と、前記カメラ操作情報に関するルールと、前記複数のシーン中の所望のシーンを指定すると共に前記指定された複数のシーンを再生する順番を指定する指定手段により指定された複数のシーンのうち続けて再生される２つのシーンの前記カメラ操作情報とを照合し、前記２つのシーンのカメラ操作情報が前記ルールに反する場合に警告を出力する制御工程とを備えたことを特徴とする。
【手続補正２９】
【補正対象書類名】明細書
【補正対象項目名】００２９
【補正方法】削除
【補正の内容】
【手続補正３０】
【補正対象書類名】明細書
【補正対象項目名】００３０
【補正方法】削除
【補正の内容】
【手続補正３１】
【補正対象書類名】明細書
【補正対象項目名】００３１
【補正方法】削除
【補正の内容】
【手続補正３２】
【補正対象書類名】明細書
【補正対象項目名】００３２
【補正方法】削除
【補正の内容】
【手続補正３３】
【補正対象書類名】明細書
【補正対象項目名】００３３
【補正方法】削除
【補正の内容】
【手続補正３４】
【補正対象書類名】明細書
【補正対象項目名】００３４
【補正方法】削除
【補正の内容】
【手続補正３５】
【補正対象書類名】明細書
【補正対象項目名】００３５
【補正方法】削除
【補正の内容】
【手続補正３６】
【補正対象書類名】明細書
【補正対象項目名】００３６
【補正方法】削除
【補正の内容】
【手続補正３７】
【補正対象書類名】明細書
【補正対象項目名】００３７
【補正方法】削除
【補正の内容】
【手続補正３８】
【補正対象書類名】明細書
【補正対象項目名】００３８
【補正方法】削除
【補正の内容】
【手続補正３９】
【補正対象書類名】明細書
【補正対象項目名】００３９
【補正方法】削除
【補正の内容】
【手続補正４０】
【補正対象書類名】明細書
【補正対象項目名】００４０
【補正方法】削除
【補正の内容】
【手続補正４１】
【補正対象書類名】明細書
【補正対象項目名】００４１
【補正方法】削除
【補正の内容】
【手続補正４２】
【補正対象書類名】明細書
【補正対象項目名】００４２
【補正方法】削除
【補正の内容】
【手続補正４３】
【補正対象書類名】明細書
【補正対象項目名】００４３
【補正方法】削除
【補正の内容】
【手続補正４４】
【補正対象書類名】明細書
【補正対象項目名】００４４
【補正方法】削除
【補正の内容】
【手続補正４５】
【補正対象書類名】明細書
【補正対象項目名】００４５
【補正方法】削除
【補正の内容】
【手続補正４６】
【補正対象書類名】明細書
【補正対象項目名】００４６
【補正方法】削除
【補正の内容】
【手続補正４７】
【補正対象書類名】明細書
【補正対象項目名】００４７
【補正方法】削除
【補正の内容】
【手続補正４８】
【補正対象書類名】明細書
【補正対象項目名】００４８
【補正方法】削除
【補正の内容】
【手続補正４９】
【補正対象書類名】明細書
【補正対象項目名】００４９
【補正方法】削除
【補正の内容】
【手続補正５０】
【補正対象書類名】明細書
【補正対象項目名】００５０
【補正方法】削除
【補正の内容】
【手続補正５１】
【補正対象書類名】明細書
【補正対象項目名】００５１
【補正方法】削除
【補正の内容】
【手続補正５２】
【補正対象書類名】明細書
【補正対象項目名】００５２
【補正方法】削除
【補正の内容】
【手続補正５３】
【補正対象書類名】明細書
【補正対象項目名】００５３
【補正方法】削除
【補正の内容】